(57)【要約】【課題】接点切り換わり後のストロークを大きくでき、所望の操作フィーリングを得ることができる押釦スイッチを提供する。【解決手段】ハウジング１の収納部１ａに設けられた凹溝部１ｂに、弾性変形可能に設けられた導電性樹脂からなる第１の接点部材４と、反転可能な膨出部５ａを有する金属板からなり、反転時に第１の接点部材４と接離可能な第２の接点部材５とを備え、第２の接点部材５が押圧されて反転した際に、第１及び第２の接点部材４、５が電気的に接続され、第１及び第２の接点部材４、５の接触を保ったまま第１の接点部材４が自ら弾性変形することにより、凹溝部１ｂ内の下方へ変位可能とした。【選択図】        図３
2005019112.tif 000002
【特許請求の範囲】
【請求項１】
収納部を有するハウジングと、前記収納部の内底面に設けられた凹溝部と、該凹溝部に収納され、内底面の下方へ弾性変形可能に設けられた導電性樹脂からなる第１の接点部材と、前記収納部の内底部に配設され、一端が前記凹溝部内で前記第１の接点部材と電気的に接続する第１の端子部材と、反転可能な膨出部を有する金属板からなり、反転時に前記第１の接点部材と接離可能な第２の接点部材と、前記収納部の内底部に配設され、一端が前記第２の接点部材と電気的に接続する第２の端子部材とを備え、前記第２の接点部材が押圧されて反転した際に、前記第１及び第２の接点部材が電気的に接続され、前記第１及び第２の接点部材の接触を保ったまま前記第１の接点部材が自ら弾性変形することにより、前記凹溝部内の下方へ変位可能としたことを特徴とする押釦スイッチ。
【請求項２】
前記第１の接点部材は、前記第２の接点部材の反転時にこの第２の接点部材と接離する接触面が、前記収納部の内底面よりも下方となるように、前記凹溝部内に収納したことを特徴とする請求項１記載の押釦スイッチ。
【請求項３】
前記第１の端子部材は、一端が前記凹溝部の内底面に表出された状態で配設され、この表出された前記第１の端子部材の一端部と、前記第１の接点部材とを前記凹溝部内で導電性接着剤により固着したことを特徴とする請求項１、又は２記載の押釦スイッチ。
【請求項４】
前記導電性樹脂からなる第１の接点部材を、半田溶融温度に耐え得る、耐熱性の材料で形成したことを特徴とする請求項１乃至３の何れかに記載の押釦スイッチ。
【発明の詳細な説明】
【０００１】
【発明の属する技術分野】
本発明は押釦スイッチに係り、特に押圧した際のストロークが大きく取れるロングストローク対応の押釦スイッチの構造に関する。
【０００２】
【従来の技術】
従来のロングストローク対応の押釦スイッチとしては、ステムやプッシャー下面のドーム型可動接点との接触部をゴム材などの弾性体で形成し、接点オン後も弾性体が撓んでステムやプッシャーが更に移動してストロークを大きくした押釦スイッチが知られている（例えば、特許文献１参照）。
【０００３】
以下、従来の押釦スイッチの構造を図に基づいて説明する。図４は従来の押釦スイッチの押圧前の状態を示す一部断面図、図５は押圧後の状態を示す一部断面図である。
【０００４】
図において、従来の押釦スイッチは、有底のベース１０と、該ベースの底部１１の中央と周辺に配設された固定接点２１、２２と、固定接点２２に接続された端子２４と、周辺の固定接点２２と常時接触したドーム型可動接点２３と、該可動接点２３を押圧するプッシャー３０と、ベース１０及びプッシャー３０を覆うカバー４０とを備えている。
プッシャー３０は、本体３１と接触部３２を有し、全体を弾性体からなる軟質のゴム材で形成されている。尚２４は、外部への接続端子である。
【０００５】
この押釦スイッチを操作する際、プッシャー３０を押し下げてドーム型可動接点２３を押圧すると、最初プッシャー自体が圧縮され、その後、全体としてドーム型可動接点２３を反転させる押圧力に達した時に、ドーム型可動接点２３が反転してスイッチがオンする。
ドーム型可動接点２３には、スイッチがオンに切り換わった後にも第５図に示すように惰性による押圧力が加わる。この結果、更にプッシャー３０が押圧されて移動することによりオーバーストロークとなり、ドーム型可動接点２３を反転した状態で更に押圧することとなる。
【０００６】
【特許文献１】
実開平４−４３８２８号公報
【０００７】
【発明が解決しようとする課題】
しかしながら、上記した従来の押釦スイッチの構成においては、ゴム材などの弾性体を介してドーム型可動接点を押圧反転させるため、弾性体がつぶれて変形しながらドーム型時可動接点が反転することとなり、接点がオンになるまでの操作フィーリングがドーム型可動接点のみの時と異なり、所望の操作フィーリングを得ることができないという問題があった。
【０００８】
従って、本発明では上述した問題点を解決し、接点切り換わり後のストロークを大きくでき、所望の操作フィーリングを得ることができる押釦スイッチを提供することを目的とする。
【０００９】
【課題を解決するための手段】
上記課題を解決するために本発明では第１の解決手段として、収納部を有するハウジングと、前記収納部の内底面に設けられた凹溝部と、該凹溝部に収納され、内底面の下方へ弾性変形可能に設けられた導電性樹脂からなる第１の接点部材と、前記収納部の内底部に配設され、一端が前記凹溝部内で前記第１の接点部材と電気的に接続する第１の端子部材と、反転可能な膨出部を有する金属板からなり、反転時に前記第１の接点部材と接離可能な第２の接点部材と、前記収納部の内底部に配設され、一端が前記第２の接点部材と電気的に接続する第２の端子部材とを備え、前記第２の接点部材が押圧されて反転した際に、前記第１及び第２の接点部材が電気的に接続され、前記第１及び第２の接点部材の接触を保ったまま前記第１の接点部材が自ら弾性変形することにより、前記凹溝部内の下方へ変位可能とした構成とした。
【００１０】
また、第２の解決手段として、前記第１の接点部材は、前記第２の接点部材の反転時にこの第２の接点部材と接離する接触面が、前記収納部の内底面よりも下方となるように、前記凹溝部内に収納した構成とした。
また、第３の解決手段として、前記第１の端子部材は、一端が前記凹溝部の内底面に表出された状態で配設され、この表出された前記第１の端子部材の一端部と、前記第１の接点部材とを前記凹溝部内で導電性接着剤により固着した構成とした。
また、第４の解決手段として、前記導電性樹脂からなる第１の接点部材を、半田溶融温度に耐え得る、耐熱性の材料で形成した構成とした。
【００１１】
【発明の実施の形態】
以下、本発明の実施形態を図１乃至図３に示す。図１は本発明に係る押釦スイッチの断面図、図２は押釦スイッチの押圧時を示す断面図、図３は押釦スイッチのオーバーストローク時を示す断面図である。
【００１２】
図において、ハウジング１は、合成樹脂などの絶縁材で方形状に形成されており、上面が開口されて、開口内に有底の収納部１ａを有する箱型に形成されている。このハウジング１の収納部１ａの中央には、収納部１ａの内底面より下方に窪んだ状態の凹溝部１ｂが設けられている。また、この凹溝部１ｂの内底面には、導電性の金属板からなる第１の端子部材２が、一部を前記凹溝部１ｂ内に表出されて配設されている。また、前記収納部１ａの内底面の一端側には、同じく導電性の金属板からなる第２の端子部材３が、一部を前記収納部１ａ内に表出されて配設されており、前記凹溝部１ｂの底部が第２の端子部材３の上面よりも低くなるように両者の高さ関係が設定されている。
【００１３】
前記第１の端子部材２には、前記収納部１ａの中央に設けられた前記凹溝部１ｂ内に表出された接続部２ａと、前記ハウジング１の内底部内で屈曲されて一体的に導通した状態で埋設されて、その一端側が、ハウジング１の側面部から突出された、第１の接続端子２ｂを有している。
また、この第１の端子部材２の外側で、前記収納部１ａの内壁部寄りには、第２の端子部材３が配設されており、この第２の端子部材３には、前記収納部１ａ内に表出された接続部３ａと、前記ハウジング１の内底部内で屈曲されて一体的に導通した状態で埋設されて、その一端側が、ハウジング１の側面部から突出された、第２の接続端子３ｂを有している。
【００１４】
第１の接点部材４は、弾性変形可能な導電性を有する平板状の樹脂、例えば、導電ゴムや導電可撓性エラストマー等から形成されている。この第１の接点部材４は、前記収納部１ａに設けられた凹溝部１ｂ内に収納されており、その厚さは、凹溝部１ｂの深さ寸法と略同一か、それ以下となるように形成されている。
例えば、第２の端子部材３の上面をハウジング１の内底面と同一面となるように形成した場合、接点部材４の厚さは、第１の接点部材４の表面が第２の端子部材３の上面より上方に突出しないように形成されている。
【００１５】
また、第１の接点部材４は、その下面部が、前記第１の端子部材２と電気的に接続された状態で前記第１の端子部材２上に載置されたものとなっており、この場合、第１の接点部材４の下面部と、前記凹溝部１ｂ内に表出された第１の端子部材２の接続部２ａとが、凹溝部１ｂ内で導電性接着剤（図示せず）で貼着されている。従って、凹溝部１ｂ内で導電性接着剤の流れ出しを防止することができるので、第１の接点部材４を第１の端子部材２上に確実に保持することができるものとなる。
また、第１の接点部材４の上面中央部が、後述する第２の接点部材５と接続される接触部４ａとなっており、この接触部４ａは、下方へ押圧された際には、弾性変形することにより下方へ変位されて、凹溝部１ｂ内を下方へ撓むものとなっている。
【００１６】
また、第１の接点部材４は、半田溶融温度に耐え得る耐熱性材で形成されており、耐熱性に優れていることから、第１の端子部材２の接続端子２ｂが半田付けされて実装された場合においても、第１の接点部材４が半田熱による影響を受けることがなく、半田付けによる実装が可能となっている。
【００１７】
第２の接点部材５は、同じくステンレスやりん青銅などのばね性を有する薄板金属板からなり、この第２の接点部材５は、中央に反転可能な膨出部５ａを有するドーム状に形成されている。また、この膨出部５ａの中央下面には１個ないし複数個の突起部５ｂが設けられており、この突起部５ｂが、膨出部５ａが下方へ反転した際に、下方に配設された前記第１の接点部材４の中央の接触部４ａと接触して電気的に接続されるものとなる。また、第２の接点部材５の外周縁部５ｃが、前記第２の端子部材３と電気的に接続された状態で前記第２の端子部材３上に載置されたものとなっている。
【００１８】
インシュレータ６は、弾性を有する樹脂性の薄板状シート材からなり、前記ハウジング１の収納部１ａの開口を覆うように、ハウジング１の上面側に貼着されている。また、このインシュレータ６の中央下面側が、前記第２の接点部材５のドーム状の膨出部５ａの上面側に当接した状態となっており、図示しないステムなどの押圧操作により、インシュレータ６を介して第２の接点部材５の膨出部５ａが下方へ押圧されて反転するものとなっている。
【００１９】
カバー７は、薄板状の金属板からなり、前記インシュレータ６の外周部の上面側を覆うように係合されており、前記ハウジング１の上面側に嵌着されて一体的に取り付けられている。
【００２０】
次に、上記構成の押釦スイッチの動作を図２及び図３を用いて説明する。
まず、図１に示す初期状態においては、図示しない押圧操作用のステムが押圧されないので、インシュレータ６は下方へ押圧されずに、第２の接点部材５は反転されずに、膨出部５ａの下面に設けられた突起部５ｂと、第１の接点部材４の中央の接触部４ａとは離間された状態となっており、スイッチはオフ状態となっている。
【００２１】
この状態から、図示しないステムを押圧操作すると、図２に示すように、インシュレータ６はステムによって下方へ押圧され、下方に配設された第２の接点部材５の膨出部５ａが下方へ押圧されることにより、膨出部５ａが下方へ反転して下面に設けられた突起部５ｂが、下方に配設された第１の接点部材４の中央の接触部４ａとが接触して電気的に接続される。この状態では、スイッチはオン状態となり、第１、及び第２の接点部材４、５を介して、第１、及び第２の端子部材２、３が接続され、第１、第２の接続端子２ｂ、３ｂを通して信号が送信されるものとなる。
【００２２】
この場合、第１の接点部材４は、弾性変形可能な導電性を有する平板状の樹脂、例えば、導電ゴムや導電可撓性エラストマー等から形成されており、第２の接点部材５の反転時に、この第２の接点部材５と接離する接触面４ａが、第２の端子部材３の上面及び収納部１ａの内底面よりも下方となるように、凹溝部１ｂ内に収納されているので、反転によりクリック感を形成する第２の接点部材５と第１の接点部材４との接触によるスイッチのオンまでのストロークを確保し、第２の接点部材５が反転してオンするまでのストロークをバラツキなく設定できるので、接点オン位置のバラツキを小さくすることができるものとなっている。
また、金属板からなる第２の接点部材５の反転時には、当接する側の第１の接点部材４が弾性変形可能な導電性樹脂で形成されているので、接点部材間の衝突音も小さくできるものとなる。
【００２３】
更に、この状態から、図示しないステムを更に押圧操作すると、図３に示すように、インシュレータ６はステムによって更に下方へ押圧され、第２の接点部材５の膨出部５ａが更に下方へ押し下げられる。この時、第１の接点部材４は、下面が、前記第１の端子部材２と電気的に接続された状態で前記第１の端子部材２上に貼着されたものとなっており、第１の接点部材４は自ら弾性変形することにより、下方へ変位可能なように配設されているので、接触部４ａが第２の接点部材５の突起部５ｂと接触した状態で、接触部４ａは収納部１ａに設けられた凹溝部１ｂ内に変位して撓むものとなる。
【００２４】
このように、第１の接点部材４が、第２の接点部材５と接触して、スイッチがオンした後に、第１の接点部材４が弾性変形することにより、ハウジング１の収納部１ａの凹溝部１ｂ内に変位して撓む間が、オーバーストロークとなって、ステムの押圧操作時のフルストロークが大きく設定できるものとなっている。
【００２５】
また、前記第２の接点部材５の膨出部５ａの中央下面には先球状の突起部５ｂが設けられており、第１の接点部材４、と第２の接点部材５の少なくとも一方の当接面に、突起部を設けることにより、互いの接点部に異物や塵埃などが侵入した場合でも、この突起部によりセルフクリーニング作用が助長されるので、耐塵埃性が向上されるものとなる。
【００２６】
上記した実施例によれば、第２の接点部材５が押圧されて反転した際に、第１及び第２の接点部材４、５が電気的に接続され、第１及び第２の接点部材４、５の接触を保ったまま第１の接点部材４が自ら弾性変形することにより、凹溝部１ｂ内の下方へ変位可能としたので、金属板からなる反転可能な膨出部５ａを有する第２の接点部材５の反転で、押圧時の良好な操作フィーリングとスイッチオンまでのストロークを確保することができ、スイッチオン後も第２の接点部材５と第１の接点部材４との接触を保ったまま、第１の接点部材４が自らの弾性変形によって下方に変位してストロークを大きくできるので、接点切り換わり後のストロークを大きくできると共に、所望の操作フィーリングを得ることができるものとなっている。
【００２７】
尚、上記実施例においては、第１の接点部材４を第１の端子部材２の接続部２ａと接続させる際に、導電性の接着剤を使用して貼着するようにしたが、第１の接点部材４の下面に導電性粘着層を設けたシートを打ち抜いて、この粘着層を凹溝部１ｂ内の内底面に表出させた第１の端子部材の接続部２ａに貼り付けて固定するようにしても良い。
【００２８】
【発明の効果】
以上説明したように、本発明の押釦スイッチは、収納部を有するハウジングと、収納部の内底面に設けられた凹溝部と、凹溝部に収納され、内底面の下方へ弾性変形可能に設けられた導電性樹脂からなる第１の接点部材と、収納部の内底部に配設され、一端が凹溝部内で第１の接点部材と電気的に接続する第１の端子部材と、反転可能な膨出部を有する金属板からなり、反転時に第１の接点部材と接離可能な第２の接点部材と、収納部の内底部に配設され、一端が第２の接点部材と電気的に接続する第２の端子部材とを備え、第２の接点部材が押圧されて反転した際に、第１及び第２の接点部材が電気的に接続され、第１及び第２の接点部材の接触を保ったまま第１の接点部材が自ら弾性変形することにより、凹溝部内の下方へ変位可能としたことから、金属板からなる反転可能な膨出部を有する第２の接点部材の反転で、押圧時の良好な操作フィーリングとスイッチオンまでのストロークを確保することができ、スイッチオン後も第２の接点部材と第１の接点部材との接触を保ったまま、第１の接点部材が自らの弾性変形によって下方に変位してストロークを大きくできるので、接点切り換わり後のストロークを大きくできると共に、所望の操作フィーリングを得ることができる。
また、金属板からなる第２の接点部材の反転時の接点部材間の衝突音も小さくできる。
【００２９】
また、第１の接点部材は、第２の接点部材の反転時にこの第２の接点部材と接離する接触面が、収納部の内底面よりも下方となるように、凹溝部内に収納したことから、反転によりクリック感を形成する金属板で形成した第２の接点部材と第１の接点部材との接触によるスイッチのオンまでのストロークを確保し、第２の接点部材が反転してオンするまでのストロークをバラツキなく設定できるので、接点オン位置のバラツキを小さくすることができる。
【００３０】
また、第１の端子部材は、一端が凹溝部の内底面に表出された状態で配設され、この表出された第１の端子部材の一端部と、第１の接点部材とを凹溝部内で導電性接着剤により固着したことから、凹溝部内で接着剤の流れ出しを防止することができ、第１の接点部材を第１の端子部材上に確実に保持することができる。
また、導電性樹脂からなる第１の接点部材を、半田溶融温度に耐え得る、耐熱性の材料で形成したことから、接続端子を半田付けして使用する場合においても、半田熱の影響を受けることがないので、半田付け実装が可能となる。
【図面の簡単な説明】
【図１】本発明の一実施例である押釦スイッチを示す断面図である。
【図２】本発明の押釦スイッチの押圧時を示す断面図である。
【図３】本発明の押釦スイッチのオーバーストローク時を示す断面図である。
【図４】従来の押釦スイッチの押圧前の状態を示す一部断面図である。
【図５】従来の押釦スイッチの押圧後の状態を示す一部断面図である。
【符号の説明】
１  ハウジング
１ａ  収納部
１ｂ  凹溝部
２  第１の端子部材
２ａ  接続部
２ｂ  接続端子
３  第２の端子部材
３ａ  接続部
３ｂ  接続端子
４  第１の接点部材
４ａ  接触部
５  第２の接点部材
５ａ  膨出部
５ｂ  突起部
５ｃ  外周縁部
６  インシュレータ
７  カバー
【図１】
2005019112.tif 000003
【図２】
2005019112.tif 000004
【図３】
2005019112.tif 000005
【図４】
2005019112.tif 000006
【図５】
2005019112.tif 000007